(57)【要約】      （修正有）【課題】空気振動式で簡易な構成で周囲の騒音を遮音し、スピーカからの音声等を明確に聞き取ることができる耳栓付イヤホンを提供する。【解決手段】耳栓付イヤホンは、本体１と耳栓部２を備える。本体は、空気振動式のスピーカを備え、中央に開口部を有する突出部１１を備え、耳栓部は、根本から先端に貫通する貫通孔２３を有する低反発素材の耳栓本体２１と、貫通孔に挿入されて接着固定された中空パイプの芯部２２と、根元に固定され、突出部１１の外周部分にはめ込まれて本体と耳栓部とを連結する連結部３とを備える。【選択図】図１
0003221593.tif 000002
【実用新案登録請求の範囲】
【請求項１】
耳栓付イヤホンであって、
空気振動式のスピーカを備え、中央に開口部を有する突出部を備えた本体と、
根本から先端に貫通する貫通孔を有する低反発素材の耳栓と、前記貫通孔に挿入されて接着固定された中空の芯部と、前記根元に固定され、前記突出部の外周部分にはめ込まれて前記本体と前記耳栓とを連結する連結部とを備えた耳栓部とを有することを特徴とする耳栓付イヤホン。
【請求項２】
芯部は、直径２．０ｍｍ以上２．６ｍｍ以下で、長さ１０ｍｍ以上２０ｍｍ以下で、本体の突出部に接していないことを特徴とする請求項１記載の耳栓付イヤホン。
【請求項３】
連結部は、塩化ビニールであって、内径が本体の突出部の直径より小さいことを特徴とする請求項１又は２記載の耳栓付イヤホン。
【請求項４】
耳栓の低反発素材は、ポリウレタンで、ＪＩＳ  Ｔ８１６１ＥＰ−１の規格又はＡＮＳＩ  Ｓ３  １９−１９７４の規格に適合していることを特徴とする請求項１乃至３のいずれか記載の耳栓付イヤホン。
【考案の詳細な説明】
【技術分野】
【０００１】
本考案は、耳栓付のイヤホンに係り、特に、外部の騒音は遮断し、イヤホンのスピーカからの音は聞き取ることができる耳栓付イヤホンに関する。
【背景技術】
【０００２】
［先行技術の説明］
従来、耳栓付のイヤホンは、騒音環境の作業現場で騒音を遮音し、イヤホンのスピーカからの音声等を聞き取ることができるよう構成されるものである。
そのため、音声等を空気振動によってスピーカから発生させる空気振動式のイヤホンではなく、頭蓋骨の一部を振動させて音を感知させる骨伝導式のイヤホンが用いられることが多い。
【０００３】
［関連技術］
尚、関連する先行技術としては、実開昭６３−１１１１２８号公報「耳栓」（特許文献１）、特開２０１２−０５００４９号公報「イヤホンとイヤホン用遮音エレメント」（特許文献２）、特開２０１８−１４８３３９号公報「骨伝導型イヤホン」（特許文献３）、特許第５８９１０１２号公報「環境騒音の遮音用イヤホンアタッチメント」（特許文献４）がある。
【０００４】
特許文献１には、イヤホンの音出口に芯パイプを接続し、その芯パイプを覆うように円柱状の耳栓を形成した構成が記載されている。
特許文献２には、中空チューブの外側に円柱状の耳栓の遮音エレメントを設けた構成が記載されている。
【０００５】
特許文献３には、お椀型の耳栓を備える骨伝導イヤホンの構成が記載されている。
特許文献４には、特許文献２の改良に関するイヤホンのアタッチメントで、耳栓の先端を開放せず塞ぎ、但し、内側には音の通り道に切り欠きを設けた構成が記載されている。
【先行技術文献】
【特許文献】
【０００６】
【特許文献１】実開昭６３−１１１１２８号公報
【特許文献２】特開２０１２−０５００４９号公報
【特許文献３】特開２０１８−１４８３３９号公報
【特許文献４】特許第５８９１０１２号公報
【考案の概要】
【考案が解決しようとする課題】
【０００７】
しかしながら、従来の耳栓付イヤホンにおける空気振動式イヤホンでは、周囲の騒音が大きくなると、スピーカからの音声等が聞き取り難くなるという問題点があった。
また、従来の耳栓付イヤホンにおける骨伝導イヤホンでは、構造が複雑でコスト高となるという問題点があった。
【０００８】
尚、特許文献１〜４には、空気振動式のイヤホンについて、周囲の騒音を遮音すると共に、イヤホンのスピーカからの音声等を耳内に伝達する構成は記載されていない。
【０００９】
本考案は上記実状に鑑みて為されたもので、空気振動式で簡易な構成で周囲の騒音を遮音し、スピーカからの音声等を明確に聞き取ることができる耳栓付イヤホンを提供することを目的とする。
【課題を解決するための手段】
【００１０】
上記従来例の問題点を解決するための本考案は、耳栓付イヤホンであって、空気振動式のスピーカを備え、中央に開口部を有する突出部を備えた本体と、根本から先端に貫通する貫通孔を有する低反発素材の耳栓と、貫通孔に挿入されて接着固定された中空の芯部と、根元に固定され、突出部の外周部分にはめ込まれて本体と耳栓とを連結する連結部とを備えた耳栓部とを有することを特徴とする。
【００１１】
本考案は、上記耳栓付イヤホンにおいて、芯部が、直径２．０ｍｍ以上２．６ｍｍ以下で、長さ１０ｍｍ以上２０ｍｍ以下で、本体の突出部に接していないことを特徴とする。
【００１２】
本考案は、上記耳栓付イヤホンにおいて、連結部が、塩化ビニールであって、内径が本体の突出部の直径より小さいことを特徴とする。
【００１３】
本考案は、上記耳栓付イヤホンにおいて、耳栓の低反発素材が、ポリウレタンで、ＪＩＳ  Ｔ８１６１ＥＰ−１の規格又はＡＮＳＩ  Ｓ３  １９−１９７４の規格に適合していることを特徴とする。
【考案の効果】
【００１４】
本考案によれば、空気振動式のスピーカを備え、中央に開口部を有する突出部を備えた本体と、根本から先端に貫通する貫通孔を有する低反発素材の耳栓と、貫通孔に挿入されて接着固定された中空の芯部と、根元に固定され、突出部の外周部分にはめ込まれて本体と耳栓とを連結する連結部とを備えた耳栓部とを有する耳栓付イヤホンとしているので、空気振動式で簡易な構成で周囲の騒音を遮音し、スピーカからの音声等を明確に聞き取ることができる効果がある。
【図面の簡単な説明】
【００１５】
【図１】本イヤホンの概略図である。
【図２】本体の概略図である。
【図３】耳栓部の概略図である。
【図４】芯部の概略図である。
【図５】連結部の概略図である。
【考案を実施するための形態】
【００１６】
本考案の実施の形態について図面を参照しながら説明する。
［実施の形態の概要］
本考案の実施の形態に係る耳栓付イヤホン（本イヤホン）は、本体が、空気振動式のスピーカを備え、中央に開口部を有する突出部を備え、耳栓部が、根本から先端に貫通する貫通孔を有する低反発素材の耳栓本体と、貫通孔に挿入されて接着固定された中空パイプの芯部と、根元に固定され、突出部の外周部分にはめ込まれて本体と耳栓部とを連結する連結部とを備えたものとしているので、空気振動式のイヤホンで簡易な構成で周囲の騒音を遮音し、スピーカからの音声等を明確に聞き取ることができるものである。
【００１７】
［本イヤホン：図１］
本イヤホンについて図１を参照しながら説明する。図１は、本イヤホンの概略図である。
本イヤホンは、図１に示すように、本体１と、耳栓部２と、連結部３とから構成されている。
各部の詳細は、以下に説明する。
【００１８】
［本体：図２］
本イヤホンの本体１について図２を参照しながら説明する。図２は、本体の概略図であり、（ａ）が側面図で、（ｂ）が正面図である。
本体１は、空気振動式のイヤホンで、図１、図２（ａ）に示すように、本体ケース１０から耳栓部２側に円柱状の突出部１１が形成され、本体ケース１０からコード１２が引き出されている。
【００１９】
突出部１１の耳栓部２側は、外周へ出っ張る環状部１１ａが形成されている。環状部１１ａは、連結部３が容易に外れることを防止している。
また、本体１は、図２（ｂ）に示すように、突出部１１の中央に開口部１１ｂが形成され、その内部に音声等を発生させるスピーカ（図示せず）が設けられている。
【００２０】
［耳栓部：図３］
次に、耳栓部２について図３を参照しながら説明する。図３は、耳栓部の概略図であり、（ａ）が側面説明図で、（ｂ）が正面図である。尚、（ａ）には連結部３を付している。
耳栓部２は、図１、図３（ａ）に示すように、円柱状の低反発素材の耳栓本体２１と、その耳栓本体２１の中心軸に形成された貫通孔２３に挿入される芯部２２と、連結部３に接着して固定される固定部２４とから構成されている。耳栓本体２１と固定部２４を請求項で「耳栓」と称している。
【００２１】
耳栓本体２１の低反発素材は耳栓用のポリウレタンで、ＪＩＳ  Ｔ８１６１ＥＰ−１の規格又はＡＮＳＩ  Ｓ３  １９−１９７４の規格に適合しているものである。これら規格に適合する材料であれば、遮音性に優れ、外部の騒音を有効に遮断できるものである。
芯部２２は、耳栓本体２１の貫通孔２３内に固定され、突出部１１側に固定部２４から一部突出し、耳栓本体２１の先端（耳内）側には突出していない。
【００２２】
［芯部：図４］
次に芯部２２について図４を参照しながら説明する。図４は、芯部の概略図であり、（ａ）が拡大側面説明図で、（ｂ）が拡大正面図である。
芯部２２は、図４（ａ）（ｂ）に示すように、スピーカの音を通す中空のパイプとなっており、円柱状の外周部２２ａと貫通するホール部２２ｂとを備え、直径が２．０ｍｍ以上２．６ｍｍ以下で、長さが１０ｍｍ以上２０ｍｍ以下である。
そして、芯部２２は、本体１の突出部１１に接触しない構成になっている。
【００２３】
［連結部：図５］
次に、連結部３について図５を参照しながら説明する。図５は、連結部の概略図であり、（ａ）が側面説明図で、（ｂ）が正面図である。
連結部（キャップ）３は、塩化ビニール等で伸縮性がある中空の円柱状となっており、外周部３ａと内側空間部３ｂとから構成され、内径が本体１の突出部１１の直径より小さいものとなっている。
連結部３の内径部分が突出部１１の外周に接触するよう固定され、環状部１１ａによって連結部３が本体１の突出部１１から容易に外れず、突出部１１と耳栓部２を連結している。
【００２４】
［実施の形態の効果］
本イヤホンによれば、本体１が、空気振動式のスピーカを備え、中央に開口部１１ｂを有する突出部１１を備え、耳栓部２が、根本から先端に貫通する貫通孔２３を有する低反発素材の耳栓本体２１と、貫通孔２３に挿入されて接着固定された中空パイプの芯部２２と、根元に固定され、突出部１１の外周部分にはめ込まれて本体１と耳栓部２とを連結する連結部３とを備えたものとしているので、空気振動式のイヤホンで簡易で安価な構成で周囲の騒音を遮音し、スピーカからの音声等を明確に聞き取ることができる効果がある。
【産業上の利用可能性】
【００２５】
本考案は、空気振動式で簡易な構成で周囲の騒音を遮音し、スピーカからの音声等を明確に聞き取ることができる耳栓付イヤホンに適している。
【符号の説明】
【００２６】
１…本体、  ２…耳栓部、  ３…連結部、  ３ａ…外周部、  ３ｂ…内側空間部、  １１…突出部、  １０…本体ケース、  １１ａ…環状部、  １１ｂ…開口部、  １２…コード、  ２１…耳栓本体、  ２２…芯部、  ２２ａ…外周部、  ２２ｂ…ホール部
【図１】
0003221593.tif 000003
【図２】
0003221593.tif 000004
【図３】
0003221593.tif 000005
【図４】
0003221593.tif 000006
【図５】
0003221593.tif 000007